(57)【要約】【課題】  排泄時に猫の足が直接砂に触れないようにすることはもとより、排泄前後に猫が砂を掘ることで足に付いた砂に対する対策をも講じることで、猫砂によって部屋が汚れることのない愛玩動物用トイレを得る。【解決手段】  砂を収容する箱部２１を有するトイレ本体１と、箱部２１の上部開口に設置されると共に中央部に糞尿が通過するための開口部９を有する便座３と、便座３が、その後端部を前記トイレ本体側に支持されて回動できる装着構造と、前記便座を立てた状態で保持できる保持部とを備えてなる。【選択図】  図１
2005333939.tif 000002
【特許請求の範囲】
【請求項１】
砂を収容する箱部を有するトイレ本体と、前記箱部の上部開口に設置されると共に中央部に糞尿が通過するための開口部を有する便座と、該便座がその周縁部を前記トイレ本体側に支持されて回動できる装着構造とを備えたことを特徴とする愛玩動物用トイレ。
【請求項２】
便座を立てた状態で保持できる保持部を備えたことを特徴とする請求項１に記載の愛玩動物用トイレ。
【請求項３】
装着構造は便座を着脱自在にトイレ本体に保持できることを特徴とする請求項１又は２に記載の愛玩動物用トイレ。
【請求項４】
装着構造は、便座の周縁部に設けられ箱部の側壁上面に当接して前記便座の回動を支持する回動支持部と、箱部の側壁上面に形成されて前記便座の回動支持部が移動するのを規制するストッパー部と、を備えてなることを特徴とする請求項１〜３の何れか一項に記載の愛玩動物用トイレ。
【請求項５】
トイレ本体における装着構造近傍に、便座が跳ね上がるのを防止する跳ね上がり防止部を設けたことを特徴とする請求項１〜４のいずれか一項に記載の愛玩動物用トイレ。
【請求項６】
便座の裏面側に、便座をトイレ本体の箱部に設置したときに、前記箱部の側壁上面にガイドされて便座が所定位置に配置されるようにガイドするガイド手段を設け、該ガイド手段は便座が所定位置に配置されるときに便座周縁部の一部が跳ね上がり防止部の下方に入り込むようにガイドするようにしたことを特徴とする請求項５に記載の愛玩動物用トイレ。
【請求項７】
ガイド手段は便座の裏面に設けた補強用のリブであることを特徴とする請求項６に記載の愛玩動物用トイレ。
【発明の詳細な説明】
【技術分野】
【０００１】
本発明は、例えば猫等の愛玩動物を室内で飼育する場合に使用する愛玩動物用トイレに関する。
【背景技術】
【０００２】
猫用のトイレとして、上部開口を有する外容器本体と、該外容器本体内に内装されてなり、底部中央部分に網目状体を形成してなる内容器本体と、上記内容器本体の上端開口部に内装され、中央部に排泄用の穴部を有する蓋部とからなるペット用トイレが提案されている（例えば、特許文献１参照）。
この特許文献１に開示されたペット用トイレにおいては、猫が排泄するときには蓋部に乗ってするので、猫の足が砂で汚れることがないとしている。
【特許文献１】特開２００２−７８４２８号公報（請求項１）
【発明の開示】
【発明が解決しようとする課題】
【０００３】
確かに、特許文献１の構成であれば、猫は蓋部に乗って排泄をするので、排泄時に猫の足に砂が付くことがない。
しかし、猫は排泄前後に砂を掘る習性があり、蓋部に乗った猫は排泄用の穴部から内容器本体内の砂に足を入れて砂を掘るので、足には必ず砂が付き、その砂が蓋部に残ることになる。蓋部に砂が残ると、それが再び猫の足に付着して部屋を汚すことになるので、蓋部には砂を残さないようにする必要がある。
この点、上記特許文献１においては、蓋部を傾けて又はブラシ等を用いて蓋部に残った砂を砂場へ戻すようにすればよい、としている（特許文献１段落００３２参照）。
しかしながら、蓋部を傾けるには蓋部を取り外す必要があり、手間である。また、排泄のたびに蓋部の砂をブラシで掃いて砂場へ戻すというのも手間である。
また、内容器に排泄された糞尿を始末したり砂を入れ替えたりする際には、一旦、蓋部を取り外す必要があり、その場合には、蓋部を部屋の床などに置くことになるが、そのようにすると蓋部に付いた砂が部屋に落ちて部屋を汚すことになる。
【０００４】
このように、従来のペット用トイレでは、砂を入れる内容器本体の上端開口部に蓋部を設けることで、排泄時に猫の足が直接砂に触れないようにしたことにより一定の効果は得られるものの、排泄前後に砂を掘ることで猫の足に付着して蓋部に残る砂に対する対策としては不十分であった。
【０００５】
本発明はかかる課題を解決するためになされたものであり、排泄時に猫の足が直接砂に触れないようにすることはもとより、排泄前後に猫が砂を掘ることで足に付いた砂に対する対策をも講じることで、猫砂によって部屋が汚れることのない愛玩動物用トイレを得ることを目的としている。
【課題を解決するための手段】
【０００６】
（１）本発明に係る愛玩動物用トイレは、砂を収容する箱部を有するトイレ本体と、前記箱部の上部開口に設置されると共に中央部に糞尿が通過するための開口部を有する便座と、該便座がその周縁部を前記トイレ本体側に支持されて回動できる装着構造と、を備えてなるものである。
【０００７】
（２）また、上記（１）に記載のものに、便座を立てた状態で保持できる保持部を備えたものである。
【０００８】
（３）また、上記（１）又は（２）に記載の装着構造は、便座を着脱自在にトイレ本体に保持できることを特徴とするものである。
【０００９】
（４）また、上記（１）〜（３）に記載の装着構造は、便座の周縁部に設けられ箱部の側壁上面に当接して前記便座の回動を支持する回動支持部と、箱部の側壁上面に形成されて前記便座の回動支持部が移動するのを規制するストッパー部と、を備えてなることを特徴とする
【００１０】
（５）また、上記（１）〜（４）に記載のものにおいて、トイレ本体における装着構造近傍に、便座が跳ね上がるのを防止する跳ね上がり防止部を設けたことを特徴とするものである。
【００１１】
（６）また、上記（５）に記載のものにおいて、便座の裏面側に、便座をトイレ本体の箱部に設置したときに、前記箱部の側壁上面にガイドされて便座が所定位置に配置されるようにガイドするガイド手段を設け、該ガイド手段は便座が所定位置に配置されるときに便座周縁部の一部が跳ね上がり防止部の下方に入り込むようにガイドするようにしたことを特徴とするものである。
【００１２】
（７）また、上記（６）に記載のガイド手段は便座の裏面に設けた補強用のリブであることを特徴とするものである。
【発明の効果】
【００１３】
本発明においては、砂を収容する箱部を有するトイレ本体と、前記箱部の上部開口に設置されると共に中央部に糞尿が通過するための開口部を有する便座と、該便座がその周縁部を前記トイレ本体側に支持されて回動できる装着構造と、を備えたことにより、便座に残った砂は便座を周縁部を支持して回動することで箱部内へ簡単に戻すことができる。
また、便座を立てた状態で保持できる保持部を設けたことにより、砂の入れ替え等の際には便座を立てた状態で保持することで便座を取り外すことなく砂の入れ替え等ができる。
【発明を実施するための最良の形態】
【００１４】
図１は本発明の一実施の形態として愛玩動物用トイレを猫に最適な猫用トイレとして構成したものの斜視図である。本実施の形態の愛玩動物用トイレは、図１に示すように、猫砂を収容する箱部を有するトイレ本体１と、前記箱部の上部開口に設置される便座３とを備えている。そして、便座３はトイレ本体１に対して、図２に示すように、その後端部をトイレ本体側に支持されて回動できると共に便座３が着脱自在となる装着構造によって取り付けられている。
以下、各構成を詳細に説明する。
【００１５】
＜便座＞
図３は便座３の平面図、図４は側面図である。便座３は、図３に示すように、その外形が概略楕円形をしており、後端側の一部に幅狭部４が形成されている。幅狭部４の両側には、幅狭部４における後端側約半分の位置に便座３の外方に突出する略１／４円状の平板からなる突出片５が設けられている。したがって、便座３の後端部の幅狭部４には、平面視では図３に示すように、突出片５、隙間７が形成されている。
また、便座３の中央部には糞尿が落ちるための楕円形の開口９が形成されている。開口９の周囲は猫が乗るための床部１１が形成されている。この床部１１は便座３を立てたときに床部１１上の砂が外方に飛散しないようにするために開口９に向って若干傾斜する傾斜面にすることが好ましい。床部１１には、砂落下用の穴１３が複数設けられている。各穴１３の周壁１３ａは上面から下方に向って延びる円弧状になっており（図１参照）、猫の爪が引っかからないようになっている。
【００１６】
床部１１の周囲には外周壁１５が形成されている。外周壁１５は、便座３の中ほどから後端にかけては低い低壁１５ａ、中ほどから前端にかけてはなだらかに隆起する山形の高壁１５ｂになっている（図４参照）。この高壁１５ｂが便座３をトイレ本体１に設置した状態では、図１に示されるように、トイレ本体１の周壁と連続することで、便座３の全周を囲むことになる。これによって、猫が砂を掘るときに砂が飛び散ったとしてもトイレの外に飛び出すのを防止できる。
また、高壁１５ｂの裏面側は、図２に示されるように、内部が空洞部１５ｃになっており、この部分は便座３を設置した状態で、トイレ本体側の空間と相まってスコップ１６などの道具の収納スペースとなる（図１参照）。
周壁１５の前端の中央部、すなわち両側の高壁１５ｂに挟まれた部分には水平部１５ｄが設けられている。この水平部１５ｄは猫が糞尿をするときに前足を掛けることになる。このように両側の高壁１５ｂに挟まれた部分に水平部１５ｄを設けることで、猫が糞尿をするときにその前足を水平部１５ｄに掛けることになり（高壁１５ｂに足を掛けようとしてもその傾斜によりすべって水平部１５ｄに掛けることになる）、猫が糞尿をするときの姿勢が規制され、その結果、糞尿が常に開口９から落ちるようになる。
便座３の最前端部には便座を設置したときにトイレ本体側に係合して固定するための係合片１７が設けられている。
便座３における床部１１の裏面側には、図２に示すように、複数のリブ１９が放射状に設けられている。この複数のリブは床部１１の補強用であると共に、トイレ本体の箱部周壁と係合することで、便座３をトイレ本体１の所定位置に配置するためのガイド部材としても機能する。特に前端側のリブ１９はトイレ本体の開口部の周壁と当接したときに、便座を後方に押すように機能する。
【００１７】
＜トイレ本体＞
トイレ本体１は、図１、図２に示されるように、外周壁２０と、その内側中央部に形成された砂を入れるための有底枠状の箱部２１とから形成されている。
外周壁２０の上端周形状は、図２に示すように、平面視で便座とほぼ同形の後端側が略直線となった略楕円形をしている。
また、箱部２１の周壁２１ａは砂が所定量入れられるような所定の高さに形成されており、その内面には砂の量の目安を示すための目安線２３が設けられている。また、周壁２１ａの上端周形状は便座３の床部１１の外周形状に対応した形状になっている。さらに、周壁２１ａの上端面は、図２に示されるように、内側に向かって傾斜する傾斜面２１ｂになっている。周壁２１ａの上端面（特に後端側の上端面）を傾斜面にすることで、便座３を起立させたときに、便座３から滑り落ちてくる猫砂が滞留するのを防止できる。
また、トイレ本体１の前端中央部には水平の段部２５が設けられている。この段部２５は便座を取り外して使用する場合などに、猫がトイレに入るときの足掛けとなるものであり、子猫など体の小さい猫がトイレに入り易くするためのものである。
トイレ本体１の最前端部には、前述の便座３の係合片１７が係止するための係止部２７が設けられている。
【００１８】
＜便座の装着構造＞
図５は便座の装着構造の説明図であり、トイレ本体１の後端部の一部と便座３の後端部の一部を示している。
装着構造の構成の一部としてトイレ本体１側には、トイレ本体１の後端部における傾斜面２１ｂに設けられ後方斜め上方に延出する立片２９と、この立片２９の後方寄りで傾斜面２１ｂの上方に傾斜面２１ｂと所定の隙間を介して設置された略１／４円状の跳ね上がり防止片３１が設けられている。
他方、便座３側において装着構造の一部を構成するものとしては、前述の便座３の構造にて説明したように、便座３の後端側の幅狭部４の両側に形成された略１／４円状の平板からなる突出片５と、突出片５の前方に形成された隙間７がある。
以上のように構成される便座の装着構造の作用効果を説明する。
【００１９】
便座３を装着する際には、図６に示すように、便座３の後端側を下に向けて便座３を垂直に立てた状態にして、図６に示すように、突出片５を立片２９と跳ね上がり防止片３１の隙間に挿入する。挿入状態で、図２に示すように、便座３をトイレ本体１の後壁側に倒して立て掛けると、図７に示すように、突出片５が立片２９の根元に当接し、前方への移動が規制されて支持される。つまり、便座３は突出片５の立片２９への当接と、トイレ本体１の後壁での支持により、若干後方斜めになった状態で保持されることになり、立片２９とトイレ本体１の後壁が本発明の保持部として機能する。
なお、この例ではトイレ本体１の後壁を保持部として機能させているが、跳ね上がり防止片３１の上面に起立片を設けることにより、この起立片を後壁に代えて保持部として機能させてもよい。
【００２０】
図２に示す状態から図１に示すような使用状態にするには便座３の後端の突出片５を回動軸として前方へ倒伏させることになるが、図７に示すように、便座３を前方へ倒伏させたときに立片２９が隙間７を通るので、便座を前方へ倒伏させることができる。便座３を倒すと、便座前端の裏面に設けられたリブ１９とトイレ本体１の傾斜面２１ｂとが当接する。この状態で便座３を下方に押すとリブ１９が傾斜面２１ｂから後方に向かう力を受け、便座３はトイレ本体１に対して後方に相対移動する。これによって、図８の破線で示すように便座３の突出片５がトイレ本体１の後壁に当接した状態になって、便座３がトイレ本体１にセットされる。このとき、突出片５は跳ね上がり防止片３１の下方にもぐりこむことになり、猫が便座前部に飛び乗ったときなどに便座３の後端側がトイレ本体１から跳ね上がるのを防止できる。
便座３を所定の位置にセットした上体では、図１に示すように、便座３の最前端に設けられた係合片１７をトイレ本体１の係止部２７に係止させる。これで、便座３は、前端部及び後端部にて移動が規制され、トイレ本体１にしっかりと保持される。
【００２１】
便座３を取り外すときには、最前端の係止を外して便座３の前端側を持ち上げて、突出片５を回動軸として回動させればよい。
このとき回動の支持部となる突出片５が円弧状になっており、また、突出片５が当接する周壁２１ａの上端面が内側に向って傾斜する傾斜面２１ｂとなっていることから、回動の支点（突出片５と傾斜面２１ｂの接点）は回動するに従って下方にずれる。そのため、突出片５が跳ね上がり防止片３１干渉することがない。
便座３の前端側をある程度持ち上げた状態で斜め上方に引き上げると便座３をトイレ本体１から取り外すことができる。
【００２２】
＜使用方法＞
次に、上記のように構成された本実施の形態に係る愛玩動物用トイレの使用方法を以下に説明する。
愛玩動物用トイレを子猫に使用する場合には便座３を用いるのは難しい。そこで、便座３を取り外して使用する。この場合、トイレ本体１の前端に形成した段部２５に足を掛けることができ、砂場に容易に入ることができる。また、トイレ本体１の外周壁２０は高いので、砂がトイレの外に飛散するのを防止できる。
【００２３】
便座３を用いる場合には、前述のようにして便座３をトイレ本体１に装着する。便座３が装着された状態で、猫が糞尿をする場合は、便座３の水平部１５ｄに前足を掛けた状態でする。これによって、猫の姿勢が規制され、常に便座３の開口９から糞尿が砂場に落ちることになる。
糞尿の前後に猫が砂を掘っても砂は便座３の下方の箱部２１に収容されておりトイレの外に飛び散ることがない。また、猫の足に付着した砂は便座３の床部１１に形成した穴１３から砂場に落ちる。もっとも、便座上に砂が残る場合もあるが、その場合には、図２に示すように、便座３を突出片５を回動軸として回動させてトイレ本体側に立て掛ければ、便座上面の砂は便座３と箱部２１の後壁の隙間から下方の砂場に落下する。このように、便座３を取り外すことなく、簡単にその上面の砂を除去できる。また、砂場の糞尿の処理や砂の入れ替えの場合にも、図２のように、便座を立て掛ければよく、従来例のように取り外して床に置く必要もないので、部屋が砂で汚れることを可及的に防止できる。
【００２４】
なお、本発明に係る便座の装着構造は、図５に示したものに限られるものではなく、便座の後端部をトイレ本体側に支持されて回動できるものであればよく、種々のものが含まれる。例えば、トイレ本体１の箱部２１の周壁２１ａの上端面に前後に長い長穴を設け、この長穴に便座後端両側に外方に突出して設けた回動軸を挿入するような構造でもよい。
また、上記の実施の形態においては、便座３の後端側に装着構造を設けた例を示したが、本発明はこれに限られるものではなく、便座やトイレ本体の形状によっては、便座の側方に装着構造を設けて便座を側方に向けて起立させるようにしてもよい。
また、上記実施の形態においては、便座３の後端の跳ね上がりを防止するための跳ね上がり防止部の例として、トイレ本体側に跳ね上がり防止片３１を設けた例を示したが、本発明はこれに限られるものではなく、跳ね上がり防止片３１に代えてトイレ本体側の後壁に後方に凹む凹陥部を設け、便座３を使用状態になるように倒したときに便座３の後端部が凹陥部に挿入されるようにしてもよい。
【００２５】
なお、上記の実施の形態においては、ストッパー部材として箱部２１の傾斜面２１ｂに立片２９を設け、便座３の使用状態では立片２９が隙間７に挿入されるようにしたので、立片２９が便座３の位置を規制する機能を有する。
もっとも、ストッパー部材の機能として便座３を後方側に立て掛けたときや回動させるときの便座後端部の移動を規制させるのみであれば、ストッパー部材としては傾斜面２１ｂの最下部近傍に設けた傾斜面２１ｂの最上部よりも低い凸部のようなものであってもよい。このような凸部であれば、便座３を使用状態にするために倒伏する際に便座３に干渉することがないので、隙間７を設ける必要がない。
【図面の簡単な説明】
【００２６】
【図１】本発明の一実施の形態にかかる愛玩動物用トイレの斜視図である。
【図２】本発明の一実施の形態にかかる愛玩動物用トイレの便座を上げた状態の斜視図である。
【図３】本発明の一実施の形態に係る愛玩動物用トイレの便座の平面図である。
【図４】本発明の一実施の形態に係る愛玩動物用トイレの便座の側面図である。
【図５】本発明の一実施の形態に係る愛玩動物用トイレの便座装着構造の説明図である（その１）。
【図６】本発明の一実施の形態に係る愛玩動物用トイレの便座装着構造の説明図である（その２）。
【図７】本発明の一実施の形態に係る愛玩動物用トイレの便座装着構造の説明図である（その３）。
【図８】本発明の一実施の形態に係る愛玩動物用トイレの便座装着構造の説明図である（その４）。
【符号の説明】
【００２７】
１  トイレ本体
３  便座
５  突出片
９  開口
１９  リブ
２１  箱部
２１ｂ  傾斜面
２９  立片
３１  跳ね上がり防止片
【図１】
2005333939.tif 000003
【図２】
2005333939.tif 000004
【図３】
2005333939.tif 000005
【図４】
2005333939.tif 000006
【図５】
2005333939.tif 000007
【図６】
2005333939.tif 000008
【図７】
2005333939.tif 000009
【図８】
2005333939.tif 000010